(57)【要約】【課題】永久磁石の吸引力及び斥力を利用することにより、電気や燃料を必要としないで、連続回転する磁力モータを提供する。【解決手段】回転体に回転方向に磁化した等間隔で複数個の永久磁石である回転子磁石を配し、該回転体に回転子磁石と同数の凸起部を有する板カム体を固着し、該板カム体の回転に倣い、往復動自在に配したガイドローラ及び前記回転体の外径方向に磁化方向が向くよう配した固定子側に永久磁石である固定子磁石を少なくとも２組配し、前記板カム体の回転に倣い追随してガイドローラ及び固定子磁石が往復動するよう構成し、相対する回転子磁石と固定子磁石である永久磁石同士の吸引力及び斥力によって連続回転する磁力モータ。【選択図】図２
2014230476.tif 000002
【特許請求の範囲】
【請求項１】
回転体に回転方向に磁化した等間隔で複数個の永久磁石である回転子磁石を配し、該回転体に回転子磁石と同数の凸起部を有する板カム体を固着し、該板カム体の回転に倣い、往復動自在に配したガイドローラ及び前記回転体の外径方向に磁化方向が向くよう配した固定子側に永久磁石である固定子磁石を少なくとも２組配し、前記板カム体の回転に倣い追随してガイドローラ及び固定子磁石が往復動するよう構成し、相対する回転子磁石と固定子磁石である永久磁石同士に吸引力及び斥力によって連続回転する磁力モータ。
【発明の詳細な説明】
【技術分野】
【０００１】  本発明は、動力を効率的に発生する磁力モータに関するものである。
【背景技術】
【０００２】  電気モータは社会のいろいろな分野で利用されており、また、外燃機関や内燃機関も社会に必須なものとなっている。しかし、これらの装置に動力を得るには電気や燃料を供給する必要があり、より少ない電気や燃料の供給で仕事を行うことが可能な動力源が望まれていた。
【発明の概要】
【発明が解決しようとする課題】
【０００３】  本発明は、上述した従来技術に鑑みてなされ、永久磁石の磁力を利用することにより、効率的に動力を発生する磁力モータを提供することを目的とする。
【課題を解決するための手段】
【０００４】  上述した目的を達成するために、請求項１記載の発明は、回転体に回転方向に磁化した等間隔で複数個の永久磁石である回転子磁石を配し、該回転体に回転子磁石と同数の凸起部を有する板カム体を固着し、該板カム体の回転に倣い、往復動自在に配したガイドローラ及び前記回転体の外径方向に磁化方向が向くよう配した固定子側に永久磁石である固定子磁石を少なくとも２組配し、前記板カム体の回転に倣い追随してガイドローラ及び固定子磁石が往復動するよう構成し、相対する回転子磁石と固定子磁石である永久磁石同士の吸引力及び斥力によって連続回転する磁力モータ。
【図面の簡単な説明】
【０００５】
【図１】  本発明の一実施形態に係る磁力モータの平面図である。
【図２】  同実施形態に係る磁力モータの正面図である。
【図３】  同実施形態に係る磁力モータの一部破断した側面図である。
【図４】  同実施形態に係る磁力モータの起動及び制動・停止を示す説明図である。
【図５】  （ａ）は同実施形態に係るガイドローラと固定子磁石の動作を示す説明図である。（ｂ）は（ａ）のＡ−Ａ矢視図である。
【図６】  （ａ）は同実施形態に係る回転子磁石の回転角が０°のとき、板カム体とガイドローラの状態を示す説明図である。（ｂ）は同実施形態に係る回転子磁石の回転角が０°のとき、回転子磁石と固定子磁石の状態を示す説明図である。
【図７】  （ａ）は同実施形態に係る回転子磁石の回転角が３０°のとき、板カム体とガイドローラの状態を示す説明図である。（ｂ）は同実施形態に係る回転子磁石の回転角が３０°のとき、回転子磁石と固定子磁石の状態を示す説明図である。
【図８】  （ａ）は同実施形態に係る回転子磁石の回転角が４５°のとき、板カム体とガイドローラの状態を示す説明図である。（ｂ）は同実施形態に係る回転子磁石の回転角が４５°のとき、回転子磁石と固定子磁石の状態を示す説明図である。
【図９】  （ａ）は同実施形態に係る回転子磁石の回転角が６０°のとき、板カム体とガイドローラの状態を示す説明図である。（ｂ）は同実施形態に係る回転子磁石の回転角が６０°のとき、回転子磁石と固定子磁石の状態を示す説明図である。
【図１０】  （ａ）は同実施形態に係る回転子磁石の回転角が７５°のとき、板カム体とガイドローラの状態を示す説明図である。（ｂ）は同実施形態に係る回転子磁石の回転角が７５°のとき、回転子磁石と固定子磁石の状態を示す説明図である。
【発明を実施するための形態】
【０００６】  以下、本発明の一実施形態に係る磁力モータ１００について適宜図面を参照しながら詳細に説明する。
【０００７】  本実施形態に係る磁力モータ１００は図１〜図３に示すように、回転子１は回転軸２１に固着された非磁性体の回転体１５の外径側へ例えば、４個の永久磁石である回転子磁石１１〜１４を等間隔で固着して、該回転体１５の回転子磁石１１〜１４の裏面であるもう一面にはリング板状の磁性体１６を固着している。又、本実施例では回転体１５等を２組配した２列型を示す。
【０００８】  又、回転子磁石１１〜１４が４個の場合は非磁性体の板カム体１７は４ヶ所の凸起部を有し、回転体１５に固着している。つまり、前記回転子磁石１１の極数に準じて板カム体１７の形状を決定すれば良い。
【０００９】  そして、回転子１はフレーム１０の両側に配した軸受２２にて回転自在に支持している。
【００１０】  図２、図５に図示するように、固定子２は板カム体１７の回転に追随して回転する非磁性体のガイドローラ３４を非磁性体のブロック３３に回転自在に配する。該ブロック３３内に固定子磁石３１又は３２を固着し、該固定子磁石３１、３２の磁化方向が回転子１の外径方向を向くよう配する。
【００１１】  前記ブロック３３は往復自在に構成されたブラケット４２に固着し、ガイド４１上を往復自在に移動し、ばね４３にてガイドローラ３４は回転子１側の板カム体１７に常時押付けられ、該板カム体１７の回転に倣い追随して往復運動をするよう構成している。
【００１２】  図１に示すように、回転子１の回転はカップリングＣＰにて発電機１０１に伝達される。
【００１３】  図４に示すように、非磁性体の調整ボルト７２端部に永久磁石７１を接着剤等により固着し、該調整ボルト７２を手動にて回転し前進することにより回転体１５に配した磁性体１６と近接し、磁力による吸着力で回転子１を制動、停止させる。又、起動は前記調整ボルト７２を反回転して後退させることで磁力が減じ、フリー状態となり回転子１は起動する。
【００１４】  又、調整ボルト７２をアクチュエータ（図示せず）に置換えて外部電源、例えばバッテリー等を使用すれば制御部を追加することにより、押釦にて磁力回転装置１００の起動、停止ができる。
【００１５】図６は、回転子磁石１１の回転角度０°時を示す。本実施例では回転子磁石１１〜１４は４極の場合を示す。該回転子磁石１１〜１４は回転方向に磁化したものを回転体１５に固着し、回転体１５に固着した板カム体１７の回転に倣い追随してガイドローラ３４及び固定子磁石３１、３２は一体化して前記板カム体１７にガイドローラ３４は前述の如くばね４３にて押付けられている。
【００１６】  ここで回転子磁石１１は固定子磁石３１側に吸引力にて引きつけられ、回転子磁石１４は固定子磁石１１と同極による斥力を受け回転体１５は右回転する。又、回転子磁石１４と固定子磁石３２間は磁力は微少であり回転には供しない。
【００１７】  又、回転子磁石１１〜１４及び固定子磁石３１、３２のＮ極、Ｓ極を入替えると回転体１５は左回転する。
【００１８】  本実施例では４極であるので、回転子磁石１１〜１４の取付角θ１＝９０°とし、固定子磁石３１、３２の取付角θ２＝θ１／２＝４５°が好適であろう。又、本実施例ではθ３＝３５°程度、θ４＝１０°程度が望ましい。ここでは、固定子磁石３１による回転子磁石１１の右回転角を４５°程度としている。
【００１９】  図７は回転子磁石１１の回転角度３０°時を示し、回転子磁石１１は固定子磁石３１に吸引力にて引付けられ、回転子磁石１４は固定子磁石３２による斥力を受け右回転を続ける。
【００２０】  図８は回転子磁石１１の回転角度４５°時を示し、回転子磁石１１と固定子磁石３１は磁力は微少であり、回転子磁石１４は固定子磁石３２による斥力を受け右回転を続ける。
【００２１】  図９は回転子磁石１１の回転角度６０°時を示し、回転子磁石１１と固定子磁石３１は離れているため磁力微少であるが、回転子磁石１１は固定子磁石３２により吸引力を受け、回転子磁石１４は固定子磁石３２による斥力を受け、右回転を続ける。
【００２２】  図１０は回転子磁石１１の回転角度７５°時を示し、回転子磁石１１と固定子磁石３１により斥力を受け、回転子磁石１１は固定子磁石３２による吸引力を受け右回転を続ける。
【００２３】  以上述べたように回転体１５は０°〜９０°まで右回転を続ける。つまり、９０°〜３６０°までも同条件であり連続回転するものである。
【００２４】  次に、このように構成した磁力モータ１００の動作について説明する。
【００２５】  回転子１の起動は、永久磁石７１を内蔵した調整ボルト７２をゆるめて後退することで回転子は右回転し、カップリングＣＰを介して発電機１０１を回転させ起動するものである。
【００２６】  回転子１の停止は永久磁石を内蔵した調整ボルト７２を締めて前進し、回転体１５に固着した磁性体１６に近接し、磁力による保持力で回転体１５を停止させる。
【００２７】  その他、本発明は前記実施形態等に限られるものではなく、本発明の要旨を変更しない範囲で適宜変更しても構わない。
【産業上の利用可能性】
【００２８】  以上のことから、風力、水力発電及び太陽光発電等と比較して外部バッテリーを使用しても安価な小型〜中型の発電装置を提供することができる。
【符号の説明】
【００２９】１００  ……    磁力回転装置
１０１  ……    発電機
１      ……    回転子
２      ……    固定子
１０    ……    フレーム
１１〜１４……  回転子磁石
１５    ……    回転体
１６    ……    磁性体
１７    ……    板カム体
２１    ……    回転軸
２２    ……    軸受
３１、３２……  固定子磁石
３３    ……    ブロック
３４    ……    ガイドローラ
４１    ……    ガイド
４２    ……    ブラケット
４５    ……    ばね
７１    ……    永久磁石
７２    ……    調整ボルト
ＣＰ    ……    カップリング
θ１    ……    取付角
【図１】
2014230476.tif 000003
【図２】
2014230476.tif 000004
【図３】
2014230476.tif 000005
【図４】
2014230476.tif 000006
【図５】
2014230476.tif 000007
【図６】
2014230476.tif 000008
【図７】
2014230476.tif 000009
【図８】
2014230476.tif 000010
【図９】
2014230476.tif 000011
【図１０】
2014230476.tif 000012